(57)【要約】      （修正有）【課題】興趣に富む組立収納箱を、保管時に嵩張ることなく構成でき、取扱い易く、組立てが簡単に、正確に、短時間で行え、差込舌片を差込用切込線にスムーズに差込め、内天板及び内底板を安定的に固定でき、堅牢で、強固で、耐久性に優れ、構成簡素で、量産に適し、経済的に優れた組立収納箱を提供する。【解決手段】左右側面板３、４と、背面板２と、正面板と、内天板と、内底板と、外天板３０と、外底板３１と、折曲板１４、１５と、差込舌片３４、３５とを備え、差込舌片３４、３５は、内天板１０と折返板１２及び内底板と折返板１３の折目線部分に夫々設けた差込用切込線に差込可能とし、内天板１０及び内底板に切込線を設けて差込突片１７を夫々形成し、差込突片１７を左側面板４と折返板３２、３３との間の差込空間に差込可能に構成する。【選択図】図４
0003133479.tif 000002
【実用新案登録請求の範囲】
【請求項１】
平行に配される左右側面板と、この左右側面板の後端縁夫々に折目線を介してその左右側端縁が連設される背面板と、左右側面板のどちらか一方の前端縁に折目線を介して連設されると共に、箱本体の開口部分を開閉自在となるように形成される正面板と、右側面板の上端縁に折返板を介して連設される内天板と、右側面板下端縁に折返板を介して連設される内底板と、左側面板の上端縁に折返板を介して連設されると共に、前記内天板に重なる外天板と、左側面板の下端縁に折返板を介して連設されると共に、前記内底板に重なる外底板と、内天板の左側端縁に折目線を介して連設される折曲板と、内底板の左側端縁に折目線を介して連設される折曲板と、外天板の右側端縁に折目線を介して連設される差込舌片と、外底板の右側端縁に折目線を介して連設される差込舌片とを備え、前記差込舌片は、内天板と折返板の折目線部分及び内底板と折返板の折目線部分に夫々設けた差込用切込線に差込可能となるように形成し、前記内天板及び内底板に切込線を設けて、折曲板に連設される差込突片を夫々形成し、この差込突片は、左側面板と折返板との間に形成される差込空間に差込可能となるよう構成したことを特徴とする組立収納箱。
【請求項２】
平行に配される左右側面板と、この左右側面板の後端縁夫々に折目線を介してその左右側端縁が連設される背面板と、左右側面板のどちらか一方の前端縁に折目線を介して連設されると共に、箱本体の開口部分を開閉自在となるように形成される正面板と、右側面板の上端縁に折返板を介して連設される内天板と、右側面板の下端縁に折返板を介して連設される内底板と、左側面板の上端縁に折返板を介して連設されると共に、前記内天板に重なる外天板と、左側面板の下端縁に折返板を介して連設されると共に、前記内底板に重なる外底板と、内天板の左側端縁に折目線を介して連設される折曲板と、内底板の左側端縁に折目線を介して連設される折曲板と、外天板の右側端縁に折目線を介して連設される差込舌片と、外底板の右側端縁に折目線を介して連設される差込舌片とを備え、前記差込舌片は、内天板と折返板の折目線部分及び内底板と折返板の折目線部分に夫々設けた差込用切込線に差込可能となるように形成し、前記内天板及び内底板に切込線を設けて、折曲板に連設される差込突片を夫々形成し、右側面板の上端縁に折目線を介して連設される右上の折返板は、右側面板の上部内表面に接着され、右側面板の下端縁に折目線を介して連設される右下の折返板は、右側面板の下部内表面に接着され、左側面板の上端縁に折目線を介して連設される左上の折返板は、左側面板の上部内表面に差込空間を残して接着され、左側面板の下端縁に折目線を介して連設される左下の折返板は、左側面板の下部内表面に差込空間を残して接着され、前記差込突片は、左側面板と左上及び左下の折返板との間に形成される差込空間に差込可能となるよう構成したことを特徴とする組立収納箱。
【請求項３】
前記背面板を湾曲状に湾出するよう形成すると共に、内天板及び内底板の後端縁に折目線を介してストッパー片を連設したことを特徴とする請求項１または請求項２記載の組立収納箱。
【考案の詳細な説明】
【技術分野】
【０００１】
本考案は、例えば、複数のケース入りＣＤや、複数のケース入りＤＶＤや、ゲームソフト類や、適宜記録担体や、適宜菓子類や、その他の適宜収納物を収納できるようにした組立収納箱に係り、特に、興趣に富む収納箱を、保管時に嵩張らず、その組立てが誰でも簡単に、正確に、且つ短時間で行えるようにし、しかも、構成が簡素で、量産に適し、経済的に優れたものを提供できるように工夫した組立収納箱に関するものである。
【背景技術】
【０００２】
従来、この種の組立収納箱にあっては、種々のものが提供されており、例えば、特許文献１に示すようなブックスタイルの紙箱が開示されている。
これは、左側面と湾曲した背面と右側面とを構成する長方形の側背面板の上下の端辺に、それぞれ横Ｕ字長方形状の上面板と上面内板とを及び下面板と下面内板とを、それぞれ折り目線と幅狭の折返し片と谷折り線とを介してＵ字凸部が向き合うように連設して、この側背面板の左右の端辺に、繋止切込みと開封切れ目線とを設けた長方形の前蓋板と繋止突起を設けた長方形の前蓋内板とを、それぞれ折り目線を介して連設したブックスタイルの紙箱のブランクの、上下の幅狭の折返し片を折返して側背面板にそれぞれ接着して、側背面板を上面板と下面板とのＵ字凸部に接触させて湾曲して、上面板と上面内板とを及び下面板と下面内板とを重ね合せてそれぞれ接着した後に、前蓋板の左端部を前蓋内板に接着したものである。
【０００３】
【特許文献１】実開平６−７６０２０号公報
【考案の開示】
【考案が解決しようとする課題】
【０００４】
そして、前述の如き紙箱にあっては、予め上面板と上面内板とを接着すると共に、下面板と下面内板とを接着することで組立てられているため、その保管時等に紙箱自体が嵩張る難点があった。また、この紙箱内に複数の同寸法のケース入りＣＤ等を収納した場合に、湾曲した背面部分に於いて、複数の同寸法のケース入りＣＤ等がきちんと収まらず、箱内で移動してしまう難点等もあった。
そこで、本考案は、前述の如き難点等を解消できるようにして、興趣に富む収納箱を、保管時に嵩張るようなことがなくなり、その組立てが誰でも簡単に、正確に、且つ短時間で行え、しかも、構成が簡素で、量産に適し、経済的に優れた組立収納箱を提供できるようにすべく本願考案者によって案出されたものである。
【課題を解決するための手段】
【０００５】
しかして、前述の如き課題を達成できるようにすべく、本考案の請求項１記載の組立収納箱にあっては、平行に配される左右側面板３、４と、この左右側面板３、４の後端縁夫々に折目線を介してその左右側端縁が連設される背面板２と、左右側面板３，４のどちらか一方の前端縁に折目線を介して連設されると共に、箱本体の開口部分を開閉自在となるように形成される正面板１と、右側面板３の上端縁に折返板１２を介して連設される内天板１０と、右側面板３の下端縁に折返板１３を介して連設される内底板１１と、左側面板４の上端縁に折返板３２を介して連設されると共に、前記内天板１０に重なる外天板３０と、左側面板４の下端縁に折返板３３を介して連設されると共に、前記内底板１１に重なる外底板３１と、内天板１０の左側端縁に折目線を介して連設される折曲板１４と、内底板１１の左側端縁に折目線を介して連設される折曲板１５と、外天板３０の右側端縁に折目線を介して連設される差込舌片３４と、外底板３１の右側端縁に折目線を介して連設される差込舌片３５とを備え、前記差込舌片３４、３５は、内天板１０と折返板１２の折目線部分及び内底板１１と折返板１３の折目線部分に夫々設けた差込用切込線２０、２１に差込可能となるように形成し、前記内天板１０及び内底板１１に切込線１８、１９を設けて、折曲板１４、１５に連設される差込突片１６、１７を夫々形成し、この差込突片１６、１７は、左側面板４と折返板３２、３３との間に形成される差込空間４０、４１に差込可能となるよう構成する手段を採用した。
【０００６】
また、請求項２記載の組立収納箱にあっては、平行に配される左右側面板３、４と、この左右側面板３、４の後端縁夫々に折目線を介してその左右側端縁が連設される背面板２と、左右側面板３，４のどちらか一方の前端縁に折目線を介して連設されると共に、箱本体の開口部分を開閉自在となるように形成される正面板１と、右側面板３の上端縁に折返板１２を介して連設される内天板１０と、右側面板３の下端縁に折返板１３を介して連設される内底板１１と、左側面板４の上端縁に折返板３２を介して連設されると共に、前記内天板１０に重なる外天板３０と、左側面板４の下端縁に折返板３３を介して連設されると共に、前記内底板１１に重なる外底板３１と、内天板１０の左側端縁に折目線を介して連設される折曲板１４と、内底板１１の左側端縁に折目線を介して連設される折曲板１５と、外天板３０の右側端縁に折目線を介して連設される差込舌片３４と、外底板３１の右側端縁に折目線を介して連設される差込舌片３５とを備え、前記差込舌片３４、３５は、内天板１０と折返板１２の折目線部分及び内底板１１と折返板１３の折目線部分に夫々設けた差込用切込線２０、２１に差込可能となるように形成し、前記内天板１０及び内底板１１に切込線１８、１９を設けて、折曲板１４、１５に連設される差込突片１６、１７を夫々形成し、右側面板３の上端縁に折目線を介して連設される右上の折返板１２は、右側面板３の上部内表面に接着され、右側面板３の下端縁に折目線を介して連設される右下の折返板１３は、右側面板３の下部内表面に接着され、左側面板４の上端縁に折目線を介して連設される左上の折返板３２は、左側面板４の上部内表面に差込空間４０を残して接着され、左側面板４の下端縁に折目線を介して連設される左下の折返板３３は、左側面板４の下部内表面に差込空間４１を残して接着され、前記差込突片１６、１７は、左側面板４と左上及び左下の折返板３２、３３との間に形成される差込空間４０、４１に差込可能となるよう構成する手段を採用した。
【０００７】
更に、請求項３記載の組立収納箱にあっては、前記背面板２を湾曲状に湾出するよう形成すると共に、内天板１０及び内底板１１の後端縁に折目線を介してストッパー片１０ａ、１１ａを連設する手段を採用した。
【考案の効果】
【０００８】
従って、本考案の請求項１記載の組立収納箱によれば、興趣に富む組立収納箱を、保管時に嵩張るようなことなく構成できるようになる。更に、取扱い易く、その組立てが誰でも簡単に、正確に、且つ短時間で行えるようになる。
しかも、構成が簡素となり、量産に適し、経済的に優れた組立収納箱となる。
【０００９】
特に、差込舌片３４、３５は、内天板１０と折返板１２の折目線部分及び内底板１１と折返板１３の折目線部分に夫々設けた差込用切込線２０、２１に差込可能となるように形成したので、内天板１０と折返板１２の折目線部分が入隅状態となり、差込舌片３４、３５の先端部分が折返板１２、１３の表面にガイドされて差込用切込線２０、２１にスムーズに差込めるようになる。
【００１０】
加えて、内天板１０及び内底板１１に切込線１８、１９を設けて、折曲板１４、１５に連設される差込突片１６、１７を夫々形成し、この差込突片１６、１７は、左側面板４と折返板３２、３３との間に形成される差込空間４０、４１に差込可能となるよう構成したので、差込突片１６、１７を差込空間４０、４１に差込むことにより、内天板１０及び内底板１１を安定的に固定できるようになり、組立収納箱自体が堅牢で、強固で、耐久性の優れたものとなる。
【００１１】
また、本考案の請求項２記載の組立収納箱によれば、興趣に富む組立収納箱を、保管時に嵩張るようなことなく構成できるようになる。更に、取扱い易く、その組立てが誰でも簡単に、正確に、且つ短時間で行えるようになる。
しかも、構成が簡素となり、量産に適し、経済的に優れた組立収納箱となる。
【００１２】
特に、差込舌片３４、３５は、内天板１０と折返板１２の折目線部分及び内底板１１と折返板１３の折目線部分に夫々設けた差込用切込線２０、２１に差込可能となるように形成したので、内天板１０と折返板１２の折目線部分が入隅状態となり、差込舌片３４、３５の先端部分が折返板１２、１３の表面にガイドされて差込用切込線２０、２１にスムーズに差込めるようになる。
【００１３】
加えて、内天板１０及び内底板１１に切込線１８、１９を設けて、折曲板１４、１５に連設される差込突片１６、１７を夫々形成し、右側面板３の上端縁に折目線を介して連設される右上の折返板１２は、右側面板３の上部内表面に接着され、右側面板３の下端縁に折目線を介して連設される右下の折返板１３は、右側面板３の下部内表面に接着され、左側面板４の上端縁に折目線を介して連設される左上の折返板３２は、左側面板４の上部内表面に差込空間４０を残して接着され、左側面板４の下端縁に折目線を介して連設される左下の折返板３３は、左側面板４の下部内表面に差込空間４１を残して接着され、前記差込突片１６、１７は、左側面板４と左上及び左下の折返板３２、３３との間に形成される差込空間４０、４１に差込可能となるよう構成したので、差込突片１６、１７を差込空間４０、４１に差込むことにより、内天板１０及び内底板１１を安定的に固定できるようになり、組立収納箱自体が堅牢で、強固で、耐久性の優れたものとなる。
そして、右側面板３の上端縁に折目線を介して連設される右上の折返板１２は、右側面板３の上部内表面に接着され、右側面板３の下端縁に折目線を介して連設される右下の折返板１３は、右側面板３の下部内表面に接着され、左側面板４の上端縁に折目線を介して連設される左上の折返板３２は、左側面板４の上部内表面に差込空間４０を残して接着され、左側面板４の下端縁に折目線を介して連設される左下の折返板３３は、左側面板４の下部内表面に差込空間４１を残して接着されているので、差込空間４０、４１を確実に且つ簡単に確保できるようになると共に、より取扱い易い組立包装箱となる。
【００１４】
更に、本考案の請求項３記載の組立収納箱によれば、湾曲状の背面板２であっても、ストッパー片１０ａ、１１ａによって、組立収納箱内に複数の同寸法の収納物を収納した場合に、きちんと収まり、組立収納箱内で収納物がガタついたり、移動しりすることが無いものとなる。
【考案を実施するための最良の形態】
【００１５】
以下、本考案を図示例に基づいて説明すると、次の通りである。
本考案は、例えば、複数のケース入りＣＤや、複数のケース入りＤＶＤや、ゲームソフト類や、適宜記録担体や、適宜菓子類や、その他の適宜収納物を収納できるようにした紙製（或いは、適宜合成樹脂材や、適宜複合材を利用したものでも良い）の組立収納箱であって、この組立収納箱は、平行に配される左右側面板３、４と、この左右側面板３、４の後端縁夫々に折目線を介してその左右側端縁が連設される背面板２と、左右側面板３，４のどちらか一方の前端縁に折目線を介して連設されると共に、箱本体の開口部分を開閉自在となるように形成される正面板１と、右側面板３の上端縁に折返板１２を介して連設される内天板１０と、右側面板３の下端縁に折返板１３を介して連設される内底板１１と、左側面板４の上端縁に折返板３２を介して連設されると共に、前記内天板１０に重なる外天板３０と、左側面板４の下端縁に折返板３３を介して連設されると共に、前記内底板１１に重なる外底板３１と、内天板１０の左側端縁に折目線を介して連設される折曲板１４と、内底板１１の左側端縁に折目線を介して連設される折曲板１５と、外天板３０の右側端縁に折目線を介して連設される差込舌片３４と、外底板３１の右側端縁に折目線を介して連設される差込舌片３５とを備えたものである。
そして、前記差込舌片３４、３５は、内天板１０と折返板１２の折目線部分及び内底板１１と折返板１３の折目線部分に夫々設けた差込用切込線２０、２１に差込可能となるように形成されている。
更に、前記内天板１０及び内底板１１に切込線１８、１９を設けて、折曲板１４、１５に連設される差込突片１６、１７を夫々形成し、この差込突片１６、１７は、左側面板４と折返板３２、３３との間に形成される差込空間４０、４１に差込可能となるように構成されている。
【実施例】
【００１６】
更に、具体的に説明すると、図１乃至図４に示す組立収納箱は、例えば、所定間隔を隔てて平行に配される略矩形状の左右側面板３、４と、この左右側面板３、４の後端縁夫々に折目線を介してその左右側端縁が連設される略矩形状の背面板２と、左右側面板３，４のどちらか一方（例えば、右側面板３）の前端縁に折目線を介して連設されると共に、箱本体の開口部分を開閉自在となるように形成される略矩形状の正面板１と、右側面板３の上端縁に略細長矩形状の右上折返板１２を介して連設される略矩形状の内天板１０と、右側面板３の下端縁に略細長矩形状の右下折返板１３を介して連設される略矩形状の内底板１１と、左側面板４の上端縁に略細長矩形状の左上折返板３２を介して連設されると共に、前記内天板１０に重なる略細長舌片状の外天板３０と、左側面板４の下端縁に略細長矩形状の左下折返板３３を介して連設されると共に、前記内底板１１に重なる略細長舌片状の外底板３１と、内天板１０の左側端縁に折目線を介して連設される略矩形状の折曲板１４と、内底板１１の左側端縁に折目線を介して連設される略矩形状の折曲板１５と、外天板３０の右側端縁に折目線を介して連設される複数（例えば、２個）の略半円状の差込舌片３４と、外底板３１の右側端縁に折目線を介して連設される複数（例えば、２個）の略半円状の差込舌片３５とを備えたものである。
また、前記差込舌片３４、３５は、内天板１０と右上折返板１２の折目線部分及び内底板１１と右下折返板１３の折目線部分に夫々設けた複数（例えば、２個）の差込用切込線２０、２１に差込可能となるように形成されている。
そして、前記内天板１０及び内底板１１には、略溝形状の切込線１８、１９を夫々設けて、折曲板１４、１５に一体的に連設される差込突片１６、１７を夫々形成してある。
更に、右側面板３の上端縁に折目線を介して連設される右上の折返板１２は、接着予定部２２を介して右側面板３の上部内表面に接着され、右側面板３の下端縁に折目線を介して連設される右下の折返板１３は、右側面板３の下部内表面に接着予定部２３を介して接着され、左側面板４の上端縁に折目線を介して連設される左上の折返板３２は、左側面板４の上部内表面に接着予定部３８を介して接着されると共に、未接着部分とすることで形成した差込空間４０が設けられ、左側面板４の下端縁に折目線を介して連設される左下の折返板３３は、左側面板４の下部内表面に接着予定部３９を介して接着されると共に、未接着部分とすることで形成した差込空間４１が設けられている。
すなわち、前記差込突片１６、１７は、左側面板４と左上及び左下の折返板３２、３３との間に形成される差込空間４０、４１に差込可能となるよう構成されている。
【００１７】
また、前記背面板２は、平行に配される左右側面板３、４の配設間隔より幅広に形成されて、湾曲状に湾出するように形成されている。しかも、内天板１０及び内底板１１の後端縁には、折目線を介して略矩形状のストッパー片１０ａ、１１ａが夫々連設されており、このストッパー片１０ａ、１１ａは、内天板１０や内底板１１に対して略直角に折曲げて配され、組立収納箱内に複数の同寸法の収納物（例えば、複数のケース入りＣＤやＤＶＤ等）を収納した場合に、背面板２が湾曲状であっても、きちんと収まり、組立収納箱内で収納物がガタついたり、移動しりすることが無いように形成されている（図３参照）。
【００１８】
図中５は、正面板１の先端縁（左側端縁）に折目線を介してを介して連設される略扁平舌片状の差込板で、この差込板５は、正面板１で箱本体の開口部分を閉じる時に、開口部分内に差込まれると共に、左側面板４の前端縁に折目線を介して連設されている略矩形状の折曲内板６の表面に当接するように形成されている。
【００１９】
図中３６は、外天板３０の前端縁に折目線を介して連設される折曲片で、この折曲片３６は、外天板３０に対して略直角に折曲げられ、箱本体の開口部分に於ける上部を塞ぐことができるように形成されている。
また、図中３７は、外底板３１の前端縁に折目線を介して連設される折曲片で、この折曲片３７は、外底板３１に対して略直角に折曲げられ、箱本体の開口部分に於ける下部を塞ぐことができるように形成されている。
【００２０】
図中５０は、背面板２の上端縁に折目線を介して連設される補強片で、この補強片５０は、接着予定部５２を介して背面板２の裏面上部に接着できるように形成されている。
また、図中５１は、背面板２の下端縁に折目線を介して連設される補強片で、この補強片５１は、接着予定部５３を介して背面板２の裏面下部に接着できるように形成されている。
すなわち、前記補強片５０、５１は、背面板２の上下端縁部分を補強すると共に、背面板２の湾曲状態を維持し易くなるように設けられている。
【００２１】
また、図５及び図６に示す組立収納箱は、例えば、所定間隔を隔てて平行に配される略矩形状の左右側面板３、４と、この左右側面板３、４の後端縁夫々に折目線を介してその左右側端縁が連設される略矩形状の背面板２と、左右側面板３，４のどちらか一方（例えば、右側面板３）の前端縁に折目線を介して連設されると共に、箱本体の開口部分を開閉自在となるように形成される略矩形状の正面板１と、右側面板３の上端縁に略細長矩形状の右上折返板１２を介して連設される略矩形状の内天板１０と、右側面板３の下端縁に略細長矩形状の右下折返板１３を介して連設される略矩形状の内底板１１と、左側面板４の上端縁に略細長矩形状の左上折返板３２を介して連設されると共に、前記内天板１０に重なる略細矩形状の外天板３０と、左側面板４の下端縁に略細長矩形状の左下折返板３３を介して連設されると共に、前記内底板１１に重なる略細長矩形状の外底板３１と、内天板１０の左側端縁に折目線を介して連設される略矩形状の折曲板１４と、内底板１１の左側端縁に折目線を介して連設される略矩形状の折曲板１５と、外天板３０の右側端縁に折目線を介して連設される複数（例えば、２個）の略半円状の差込舌片３４と、外底板３１の右側端縁に折目線を介して連設される複数（例えば、２個）の略半円状の差込舌片３５と、正面板１の左側端縁に折目線を介して連設される略偏平舌片状の差込板５と、左側面板４の前端縁に折目線を介して連設される略矩形状の折曲内板６と、外天板３０の前端縁に折目線を介して連設される略矩形状の折曲片３６と、外底板３１の前端縁に折目線を介して連設される略矩形状の折曲片３７と、背面板２の上端縁に折目線を介して連設される略六角形状の補強片５０と、背面板２の下端縁に折目線を介して連設される略六角形状の補強片５１とからなっている。
【００２２】
そして、前記差込舌片３４、３５は、内天板１０と右上折返板１２の折目線部分及び内底板１１と右下折返板１３の折目線部分に夫々設けた複数（例えば、２個）の差込用切込線２０、２１に差込可能となるように形成されている。
しかも、前記内天板１０及び内底板１１には、略溝形状の切込線１８、１９を夫々設けて、折曲板１４、１５に一体的に連設される差込突片１６、１７が夫々形成されている。
更に、右側面板３の上端縁に折目線を介して連設される右上の折返板１２は、接着予定部２２を介して右側面板３の上部内表面に接着され、右側面板３の下端縁に折目線を介して連設される右下の折返板１３は、右側面板３の下部内表面に接着予定部２３を介して接着され、左側面板４の上端縁に折目線を介して連設される左上の折返板３２は、左側面板４の上部内表面に接着予定部３８を介して接着されると共に、未接着部分とすることで形成した差込空間４０が設けられ、左側面板４の下端縁に折目線を介して連設される左下の折返板３３は、左側面板４の下部内表面に接着予定部３９を介して接着されると共に、未接着部分とすることで形成した差込空間４１が設けられている。
すなわち、前記差込突片１６、１７は、左側面板４と左上及び左下の折返板３２、３３との間に形成される差込空間４０、４１に差込可能となるよう構成されている。
【００２３】
また、前記背面板２は、平行に配される左右側面板３、４の配設間隔と同じ幅に形成されて、平坦面状に形成されている。
【００２４】
折曲片３６は、外天板３０に対して略直角に折曲げられ、箱本体の開口部分に於ける上部を塞ぐことができるように形成されている。
更に、折曲片３７は、外底板３１の前端縁に折目線を介して連設される折曲片で、この折曲片３７は、外底板３１に対して略直角に折曲げられ、箱本体の開口部分に於ける下部を塞ぐことができるように形成されている。
【００２５】
補強片５０は、接着予定部５２を介して背面板２の裏面上部に接着できるように形成されている。
また、補強片５１は、接着予定部５３を介して背面板２の裏面下部に接着できるように形成されている。
すなわち、前記補強片５０、５１は、背面板２の上下端縁部分を補強するように設けられている。
【００２６】
ところで、前記正面板１は、例えば、一枚の略縦長矩形板状に形成されているが、複数の構成片で構成すると共に、これらを左右側面板３、４の前端縁や内天板１０や内底板１１や外天板３０や外底板３１の前端縁に分けて設けるようにしても良い（図示せず）。尚、正面板１の具体的構成、形状、寸法、材質、数、配設位置等は、図示例のものに限定されることなく、適宜自由に設定、変更できるものである。
【００２７】
前記背面板２は、例えば、一枚の略縦長矩形板状に形成されており、外天板３０や外底板３１（及び、内天板１０や内底板１１）の後端縁部分の形状に沿うように形成されており、外方（後方）に湾出する湾曲面状に形成したり、平坦面状に形成したりできるものである。すなわち、外天板３０や外底板３１（及び、内天板１０や内底板１１）の後端縁部分の形状を、例えば、三角状としたり、台形状としたりすることで、これに応じて背面板２の湾出状態が設定される。尚、背面板２の具体的構成、形状、寸法、材質等は、図示例のものに限定されることなく、適宜自由に設定、変更できるものである。
【００２８】
前記左右側面板３、４は、例えば、夫々同一寸法の略矩形板状に形成されているが、左右側面板３、４の具体的構成、形状、寸法、材質等は、図示例のものに限定されることなく、適宜自由に設定、変更できるものである。
【００２９】
前記差込板５は、例えば、一枚の略偏平舌片状（細長矩形板の先端がわ角部を丸くしたような形状）に形成されているが、正面板１による箱本体の開口部分の閉鎖状態を維持できるようにしたものであれば良く、その具体的構成、形状、寸法、材質、数、配設位置等は、図示例のものに限定されることなく、適宜自由に設定、変更できるものである。
【００３０】
前記折曲内板６は、例えば、一枚の略矩形板状（細長矩形板の先端がわ角部を丸くしたような形状）に形成され、折目線を介して折返して左側面板４の内表面に密接（或いは、接近）するように配され、左側面板４の前端縁の強度を高められるように形成されている。尚、折曲内板６の具体的構成、形状、寸法、材質、数、配設位置等は、図示例のものに限定されることなく、適宜自由に設定、変更できるものである。
【００３１】
前記内天板１０及び内底板１１は、例えば、一枚の略細長矩形板状に形成されているが、その具体的構成、形状、寸法、材質、数、配設位置等は、図示例のものに限定されることなく、適宜自由に設定、変更できるものである。
【００３２】
また、前記ストッパー片１０ａ、１１ａは、例えば、一枚の略矩形板状に形成されており、内天板１０や内底板１１に対して略直角に折り起こすようにすることで、適宜収納物が背面板２がわへ移動するのを確実に阻止できるように形成されている。尚、ストッパー片１０ａ、１１ａの具体的構成、形状、寸法、材質等は、図示例のものに限定されることなく、適宜自由に設定、変更できるものである。
【００３３】
前記右上の折返板１２と右下の折返板１３は、例えば、一枚の略細長矩形板状に夫々形成されていると共に、接着予定部２２、２３を介して右側面板３の内表面に接着されており、内天板１０や内底板１１を右側面板３の上下端縁から離れた位置に配せるようにすると共に、右側面板３の上下端縁部分の強度、剛性を高められるように形成されている。尚、折返板１２、１３の具体的構成、形状、寸法、材質、具体的接着手段等は、図示例のものに限定されることなく、適宜自由に設定、変更できるものである。
【００３４】
前記折曲板１４、１５は、例えば、一枚の略細長矩形板状に夫々形成されていると共に、内天板１０や内底板１１に設けた切込線１８、１９によって形成される差込突片１６、１７が一体的に連設されている。尚、折曲板１４、１５の具体的構成、形状、寸法、材質、差込突片１６、１７の具体的構成、形状、寸法、材質、配設位置、切込線１８、１９の具体的構成、形状、寸法、配設位置等は、図示例のものに限定されることなく、適宜自由に設定、変更できるものである。
【００３５】
前記差込用切込線２０、２１は、例えば、右上折返板１２と内天板１０の折目線部分及び右下折返板１３と内底板１１の折目線部分に複数配設されているが、その具体的構成、形状、寸法、数、配設位置等は、図示例のものに限定されることなく、適宜自由に設定、変更できるものである。
【００３６】
前記外天板３０と外底板３１は、例えば、夫々一枚の略細長矩形板状、或いは略細長舌片状等に夫々形成されているが、その後端縁部分は、適宜形状に形成することができるものである。すなわち、外天板３０と外底板３１の後端縁部分を、三角状に形成したり、台形状に形成したりすることで、背面板２の湾出状態を変えることができるようになる。尚、外天板３０と外底板３１の具体的構成、形状、寸法、材質等は、図示例のものに限定されることなく、適宜自由に設定、変更できるものである。
【００３７】
前記左上の折返板３２と左下の折返板３３は、例えば、一枚の略細長矩形板状に夫々形成されていると共に、接着予定部３８、３９を介して左側面板４の内表面に接着されており、外天板３０や外底板３１を左側面板４の上下端縁から離れた位置に配せるようにすると共に、左側面板４の上下端縁部分の強度、剛性を高められるように形成されている。尚、尚、折返板３２、３３の具体的構成、形状、寸法、材質、具体的接着手段等は、図示例のものに限定されることなく、適宜自由に設定、変更できるものである。
【００３８】
前記差込舌片３４、３５は、差込用切込線２０、２１に差込み易く、抜け難いように、例えば、略半円状に形成されているが、その具体的構成、形状、寸法、材質、数、配設位置等は、図示例のものに限定されることなく、適宜自由に設定、変更できるものである。
【００３９】
前記折曲片３６、３７は、箱本体の開口部分の上下部分に夫々配されると共に、正面板１が箱本体の開口部分から中へ押し込まれることがないように形成されたもので、その具体的構成、形状、寸法、材質、数、配設位置等は、図示例のものに限定されることなく、適宜自由に設定、変更できるものである。
【００４０】
前記接着予定部３８、３９には、その一部が未接着部分となる差込空間４０、４１が形成されているが、この差込空間４０、４１の具体的構成、形状、寸法、配設位置、数等は、図示例のものに限定されることなく、適宜自由に設定、変更できるものである。
【００４１】
前記補強片５０、５１は、背面板２の裏面がわに折返されると共に、接着予定部５２、５３を介して背面板２に接着されており、背面板２の上下端縁部分を補強できるように構成されている。尚、補強片５０、５１の具体的構成、形状、寸法、材質、数、配設位置等は、図示例のものに限定されることなく、適宜自由に設定、変更できるものである。
【００４２】
ところで、前記接着予定部２２、２３、３８、３９、５２，５３は、例えば、適宜シート材を展開状態のように裁断してシート基材を形成すると共に、このシート基材の裏面の所定位置に接着剤等を塗布する（或いは、面着テープを貼る）ことにより設けられるものである。
それから、この接着予定部２２、２３、３８、３９、５２，５３を利用して、折返板１２、１３を右側面板３に接着し、折返板３２、３３を左側面板４に接着し、補強片５０、５１を背面板２に接着する。尚、本考案の組立包装箱は、この偏平な状態で嵩張ることなく保管、管理されるようになる。すなわち、販売店や工場等に於いて、各折目線を所定向きに折曲げてから、差込舌片３４、３５を差込用切込線２０、２１に差込み、差込突片１６、１７を差込空間４０、４１に差込み、適宜収納物を組立収納箱内に入れてから、差込板５を開口部分に差込み、開口部分を正面板１で閉じるようにする。
ところで、図１乃至図４の組立包装箱や図５及び図６の組立包装箱にあっては、高級な装丁が施された本の形態を模したような高級感のある興趣に富んだ形状となるように形成されている。
【図面の簡単な説明】
【００４３】
【図１】本考案の組立収納箱を例示する斜視図である。
【図２】本考案の組立収納箱を例示する展開図である。
【図３】本考案の組立収納箱を例示する縦断側面図である。
【図４】本考案の組立収納箱を例示する縦断正面図である。
【図５】本考案の他の実施例の組立収納箱を例示する斜視図である。
【図６】本考案の他の実施例の組立収納箱を例示する展開図である。
【符号の説明】
【００４４】
１      正面板
２      背面板
３      右側面板
４      左側面板
５      差込板
６      折曲内板
１０    内天板
１０ａ  ストッパー片
１１    内底板
１１ａ  ストッパー片
１２    折返板
１３    折返板
１４    折曲板
１５    折曲板
１６    差込突片
１７    差込突片
１８    切込線
１９    切込線
２０    差込用切込線
２１    差込用切込線
２２    接着予定部
２３    接着予定部
３０    外天板
３１    外底板
３２    折返板
３３    折返板
３４    差込舌片
３５    差込舌片
３６    折曲片
３７    折曲片
３８    接着予定部
３９    接着予定部
４０    差込空間
４１    差込空間
５０    補強片
５１    補強片
５２    接着予定部
５３    接着予定部
【図１】
0003133479.tif 000003
【図２】
0003133479.tif 000004
【図３】
0003133479.tif 000005
【図４】
0003133479.tif 000006
【図５】
0003133479.tif 000007
【図６】
0003133479.tif 000008